(57)【特許請求の範囲】
【請求項１】
下円柱ハウジング、上円柱ハウジング、フィルタ素子ユニット及び前記下円柱ハウジングの中に設置される上方に開口した収納キャビティ及び前記上円柱ハウジングの中にある下方に開口した回転キャビティを含み、前記回転キャビティの頂部に歯車キャビティが設置され、前記回転キャビティの右側にポンプ室が設置され、前記下円柱ハウジングと前記上円柱ハウジングとの開口にいずれも外へ延伸するエッジが設置され、前記エッジには前記下円柱ハウジングと前記上円柱ハウジングの円心を中心として対称する六つの接続穴が前記エッジを貫通するように設置され、前記下円柱ハウジングと前記上円柱ハウジングとの開口にある端面にはいずれも凹溝が設置され、前記凹溝の間にリングガスケットがクランプされ、前記下円柱ハウジングの左端壁体には左右に延伸する排気パイプが前記下円柱ハウジングの左端壁体を貫通するように設置され、前記排気パイプの左端に蒸気配管継手が固定的に接続され、前記収納キャビティの内壁には前記排気パイプの下側に位置する第一環状凹溝が設置され、前記第一環状凹溝の中に環状ブロックが滑合接続され、前記下円柱ハウジングの底部にヘッダタンクが螺接され、前記ヘッダタンクの中に集水キャビティが設置され、前記集水キャビティの左端内壁には左右に延伸する出水管が前記集水キャビティの左端内壁を貫通するように設置され、前記出水管に第一バルブが設置され、前記集水キャビティと前記収納キャビティとの間には上下に延伸するフィルタ通路が連通設置され、前記フィルタ通路の底端と前記ヘッダタンクとの接続部には螺接するフィルター網が内嵌され、前記上円柱ハウジングの頂部壁体には上下に延伸する吸気管が前記上円柱ハウジングの頂部壁体を貫通するように設置され、前記吸気管の上端には継手が固定的に接続され、前記吸気管に第二バルブが設置され、前記上円柱ハウジングの頂部壁体には前記吸気管の右端に位置するモータが固定的に接続され、前記モータの出力端が前記上円柱ハウジングの頂部壁体を貫通し、前記モータの出力端には前記歯車キャビティの中に位置する第一スパーギヤーが固定的に接続され、前記歯車キャビティと前記回転キャビティとの間には上下に延伸する第一回転軸と第二回転軸が四つの接続穴、前記第一回転軸の頂部末端には前記第一スパーギヤーと噛合することができる第二スパーギヤーが固定的に接続され、前記第一回転軸の底部末端には前記回転キャビティの中に位置する回転装置が固定的に接続され、前記第二回転軸の頂部には前記第一スパーギヤーと噛合することができる第三スパーギヤーが固定的に接続され、前記第二回転軸の底部末端には前記回転キャビティの中に位置する第一傘歯車が固定的に接続され、前記回転キャビティと前記ポンプ室との間には左右に延伸する第三回転軸が回転できるように連結され、前記第三回転軸の左端には前記第一傘歯車と噛合することができる第二傘歯車が固定的に接続され、前記第三回転軸の右端には前記ポンプ室の中に位置するポンプボディが固定的に接続され、前記ポンプ室の右端内壁には左右に延伸する入水管が前記ポンプ室の右端内壁を貫通するように設置され、前記ポンプ室と前記回転キャビティとの間に排水パイプが連通設置され、前記排水パイプのもう一端には前記回転キャビティの中に位置するスプリンクラヘッドが固定的に接続され、前記回転キャビティの内壁には前記ポンプ室の下端に位置する第二環状凹溝が設置され、前記回転装置が前記第一回転軸の底部に固定的に接続される回転盤を含み、前記回転盤の縁の外側には前記回転盤を中心として対称し且つ外部に延伸する四つの回転棒が固定的に接続され、前記回転棒のもう一端には上下に延伸する連接棒が固定的に接続され、前記連接棒の外側端面には前記第二環状凹溝と回転できるように連結されることができるスライド板が固定的に接続され、前記フィルタ素子ユニットが前記スライド板と前記環状ブロックとの間に設置され、前記フィルタ素子ユニットが前記スライド板と前記環状ブロックとの中にはめ込まれる支持リングを含み、前記支持リングの外側端面に第三環状凹溝が設置され、前記第三環状凹溝の中には前記スライド板と前記環状ブロックとを押し付けてクランプされることができる環状ゴムストリップが設置され、二つの前記支持リングの間には六つの支持棒が固定的に接続され、前記支持棒の外側に第一フィルター網が囲まれて設置され、前記支持棒の内側に第二フィルター網が囲まれて設置され、前記第二フィルター網の内側に蒸気通路が設置され、前記収納キャビティと前記回転キャビティとの内壁にいずれも保温層が固定的に接続されることを特徴とするタービンの排出する蒸気用のフィルタである。
【請求項２】
本発明の設備が初期状態に、前記モータが停止状態であり、前記第一バルブ、第二バルブがクローズ状態であり、前記蒸気通路の中に蒸気が導入されていなく、前記第二フィルター網、第一フィルター網、フィルター網にいずれも不純物が付着されなく、前記回転装置が静止状態であり、前記集水キャビティの中に水が含まれなく、装置内部全体が基本的に真空環境であり；本発明の設備を使用し作業するとき、蒸気を前記吸気管から導入し、前記蒸気通路に到達した後、前記第二フィルター網と前記第一フィルター網によりその中の不純物が濾過され、最後に前記排気パイプから排出され、その間に、前記第二フィルター網と前記第一フィルター網により濾過される不純物がその上に付着し或いは前記フィルタ通路に落下し前記フィルター網に付着し、その同時に、液化された水も前記フィルタ通路を通過し前記フィルター網に濾過された後に集水キャビティに流入し、前記集水キャビティの水が満杯になる直前に、前記第一バルブが開かれ、水が前記排水パイプから蒸気室に戻り再利用され；作業が完成し洗浄する必要がある時、装置を起動し、前記モータを起動し、前記モータが前記第一スパーギヤーを駆動し回転させ、そして前記第二スパーギヤーを駆動し回転させ、前記第二スパーギヤーが前記第一回転軸により前記回転盤を駆動し回転させ、前記回転盤が前記回転棒により前記連接棒を駆動し回転させ、そして前記スライド板を駆動し前記第二環状凹溝に沿って回転させ、そして前記フィルタ素子ユニットを駆動し回転させ、その同時に、前記第一スパーギヤーが前記第三スパーギヤーを駆動し回転させ、そして前記第二回転軸により前記第一傘歯車を駆動し回転させ、そして前記第二傘歯車を駆動し回転させ、前記第二傘歯車が前記第三回転軸により前記ポンプボディを駆動し回転させ、前記ポンプボディが洗浄水を前記入水管から前記排水パイプまで圧送し、そして前記スプリンクラヘッドから噴射し洗浄のために使用され、洗浄に使用された水が前記フィルタ通路により濾過された後に前記集水キャビティに流れ、前記集水キャビティの中の洗浄水が蒸気の補充生産、またはその他の場合で使用されることを含むことを特徴とする請求項１に記載のタービンの排出する蒸気用のフィルタの使用方法である。
【発明の詳細な説明】
【技術分野】
【０００１】
本発明はフィルタ分野を取り上げて、具体的にはタービンの排出する蒸気用のフィルタの使用方法である。
【背景技術】
【０００２】
科学技術が急速に成長している今日の社会では、人々がフィルタを使用すると同時に、様々な異なる程度のニーズがあり、特に洗浄作業は最も明らかであり、人々が一般に使用されているフィルタの洗浄作業は、解体しフィルタ素子ユニットを取り出し一つずつ洗浄する必要があり、この過程では、時間と労力がかかり、作業効率に影響があり、従って、タービンの排出する蒸気用のフィルタが発明され、解体し洗浄する必要がなく、自動的に洗浄することもでき、作業効率を大幅に高め、高い実用性がある。
【先行技術文献】
【特許文献】
【０００３】
【特許文献１】中国特許出願公開第１０４６７７３２１号明細書
【発明の概要】
【発明が解決しようとする課題】
【０００４】
本発明の目的はタービンの排出する蒸気用のフィルタの使用方法を提供し、それは上記の現在の技術中の問題を解決できる。
【課題を解決するための手段】
【０００５】
本発明は以下の技術プランを通じて実現する：本発明によるタービンの排出する蒸気用のフィルタは、下円柱ハウジング、上円柱ハウジング、フィルタ素子ユニット及び前記下円柱ハウジングの中に設置される上方に開口した収納キャビティ及び前記上円柱ハウジングの中にある下方に開口した回転キャビティを含み、前記回転キャビティの頂部に歯車キャビティが設置され、前記回転キャビティの右側にポンプ室が設置され、前記下円柱ハウジングと前記上円柱ハウジングとの開口にいずれも外へ延伸するエッジが設置され、前記エッジには前記下円柱ハウジングと前記上円柱ハウジングの円心を中心として対称する六つの接続穴が前記エッジを貫通するように設置され、前記下円柱ハウジングと前記上円柱ハウジングとの開口にある端面にはいずれも凹溝が設置され、前記凹溝の間にリングガスケットがクランプされ、前記下円柱ハウジングの左端壁体には左右に延伸する排気パイプが前記下円柱ハウジングの左端壁体を貫通するように設置され、前記排気パイプの左端に蒸気配管継手が固定的に接続され、前記収納キャビティの内壁には前記排気パイプの下側に位置する第一環状凹溝が設置され、前記第一環状凹溝の中に環状ブロックが滑合接続され、前記下円柱ハウジングの底部にヘッダタンクが螺接され、前記ヘッダタンクの中に集水キャビティが設置され、前記集水キャビティの左端内壁には左右に延伸する出水管が前記集水キャビティの左端内壁を貫通するように設置され、前記出水管に第一バルブが設置され、前記集水キャビティと前記収納キャビティとの間には上下に延伸するフィルタ通路が連通設置され、前記フィルタ通路の底端と前記ヘッダタンクとの接続部には螺接するフィルター網が内嵌され、前記上円柱ハウジングの頂部壁体には上下に延伸する吸気管が前記上円柱ハウジングの頂部壁体を貫通するように設置され、前記吸気管の上端には継手が固定的に接続され、前記吸気管に第二バルブが設置され、前記上円柱ハウジングの頂部壁体には前記吸気管の右端に位置するモータが固定的に接続され、前記モータの出力端が前記上円柱ハウジングの頂部壁体を貫通し、前記モータの出力端には前記歯車キャビティの中に位置する第一スパーギヤーが固定的に接続され、前記歯車キャビティと前記回転キャビティとの間には上下に延伸する第一回転軸と第二回転軸が回転できるように連結され、前記第一回転軸の頂部末端には前記第一スパーギヤーと噛合することができる第二スパーギヤーが固定的に接続され、前記第一回転軸の底部末端には前記回転キャビティの中に位置する回転装置が固定的に接続され、前記第二回転軸の頂部には前記第一スパーギヤーと噛合することができる第三スパーギヤーが固定的に接続され、前記第二回転軸の底部末端には前記回転キャビティの中に位置する第一傘歯車が固定的に接続され、前記回転キャビティと前記ポンプ室との間には左右に延伸する第三回転軸が回転できるように連結され、前記第三回転軸の左端には前記第一傘歯車と噛合することができる第二傘歯車が固定的に接続され、前記第三回転軸の右端には前記ポンプ室の中に位置するポンプボディが固定的に接続され、前記ポンプ室の右端内壁には左右に延伸する入水管が前記ポンプ室の右端内壁を貫通するように設置され、前記ポンプ室と前記回転キャビティとの間に排水パイプが連通設置され、前記排水パイプのもう一端には前記回転キャビティの中に位置するスプリンクラヘッドが固定的に接続され、前記回転キャビティの内壁には前記ポンプ室の下端に位置する第二環状凹溝が設置される。
【０００６】
優選の技術プランとして、前記回転装置が前記第一回転軸の底部に固定的に接続される回転盤を含み、前記回転盤の縁の外側には前記回転盤を中心として対称し且つ外部に延伸する四つの回転棒が固定的に接続され、前記回転棒のもう一端には上下に延伸する連接棒が固定的に接続され、前記連接棒の外側端面には前記第二環状凹溝と回転できるように連結されることができるスライド板が固定的に接続され、前記フィルタ素子ユニットが前記スライド板と前記環状ブロックとの間に設置され、洗浄するときにフィルタ素子ユニットを駆動し回転させることに便利である。
【０００７】
優選の技術プランとして、前記フィルタ素子ユニットが前記スライド板と前記環状ブロックとの中にはめ込まれる支持リングを含み、前記支持リングの外側端面に第三環状凹溝が設置され、前記第三環状凹溝の中には前記スライド板と前記環状ブロックとを押し付けてクランプされることができる環状ゴムストリップが設置され、二つの前記支持リングの間には六つの支持棒が固定的に接続され、前記支持棒の外側に第一フィルター網が囲まれて設置され、前記支持棒の内側に第二フィルター網が囲まれて設置され、前記第二フィルター網の内側に蒸気通路が設置され、蒸気の中にある異なるサイズの不純物を濾過することに便利である。
【０００８】
優選の技術プランとして、前記収納キャビティと前記回転キャビティとの内壁にいずれも保温層が固定的に接続され、蒸気濾過中の液化を減少する。
【０００９】
本方法が使用する装置の具体的な操作ステップが下記の通りである：本発明の設備が初期状態に、前記モータが停止状態であり、前記第一バルブ、第二バルブがクローズ状態であり、前記蒸気通路の中に蒸気が導入されていなく、前記第二フィルター網、第一フィルター網、フィルター網にいずれも不純物が付着されなく、前記回転装置が静止状態であり、前記集水キャビティの中に水が含まれなく、装置内部全体が基本的に真空環境であり；本発明の設備を使用し作業するとき、蒸気を前記吸気管から導入し、前記蒸気通路に到達した後、前記第二フィルター網と前記第一フィルター網によりその中の不純物が濾過され、最後に前記排気パイプから排出され、その間に、前記第二フィルター網と前記第一フィルター網により濾過される不純物がその上に付着し或いは前記フィルタ通路に落下し前記フィルター網に付着し、その同時に、液化した水も前記フィルタ通路を通過し前記フィルター網に濾過された後に集水キャビティに流入し、前記集水キャビティの水が満杯になる直前に、前記第一バルブが開かれ、水が前記排水パイプから蒸気室に戻り再利用され；作業が完成し洗浄する必要がある時、装置を起動し、前記モータを起動し、前記モータが前記第一スパーギヤーを駆動し回転させ、そして前記第二スパーギヤーを駆動し回転させ、前記第二スパーギヤーが前記第一回転軸により前記回転盤を駆動し回転させ、前記回転盤が前記回転棒により前記連接棒を駆動し回転させ、そして前記スライド板を駆動し前記第二環状凹溝に沿って回転させ、そして前記フィルタ素子ユニットを駆動し回転させ、その同時に、前記第一スパーギヤーが前記第三スパーギヤーを駆動し回転させ、そして前記第二回転軸により前記第一傘歯車を駆動し回転させ、そして前記第二傘歯車を駆動し回転させ、前記第二傘歯車が前記第三回転軸により前記ポンプボディを駆動し回転させ、前記ポンプボディが洗浄水を前記入水管から前記排水パイプまで圧送し、そして前記スプリンクラヘッドから噴射し洗浄のために使用され、洗浄に使用された水が前記フィルタ通路により濾過された後に前記集水キャビティに流れ、前記集水キャビティの中の洗浄水が蒸気の補充生産、またはその他の場合で使用される。
【発明の効果】
【００１０】
本発明の有益な効果は下記の通りである：本発明の構造が簡単で、使用が便利であり、装置全体が濾過機能以外に、自動的に洗浄する機能もあり、各機構の協働により、必要な異なる動作が実現され、すべての使用過程で装置全体の洗浄作業に多くの時間を節約し、装置の作業効率を大幅に改善すると同時に、設置される保温層も装置の機能を大幅に高める。
【図面の簡単な説明】
【００１１】
説明しやすいため、本発明は以下の具体的な実施例と付図を交え詳しく説明する。
【００１２】
【図１】図１は本発明のタービンの排出する蒸気用のフィルタの全体構成略図である；
【図２】図２は図１の「Ａ−Ａ」の構成略図である；
【図３】図３は図１の「Ｂ−Ｂ」の構成略図である；
【図４】図４は図１の「Ｃ」のローカル拡大略図である。
【発明を実施するための形態】
【００１３】
図１〜４が示すように、便利に説明するために、下記の方向を以下のように規定する：以下に述べる上下左右前後の方向と図１の上下左右前後の方向とが一致である。本発明によるタービンの排出する蒸気用のフィルタは、下円柱ハウジング１００、上円柱ハウジング１２８、フィルタ素子ユニット及び前記下円柱ハウジング１００の中に設置される上方に開口した収納キャビティ１３５及び前記上円柱ハウジング１２８の中にある下方に開口した回転キャビティ１３７を含み、前記回転キャビティ１３７の頂部に歯車キャビティ１２１が設置され、前記回転キャビティ１３７の右側にポンプ室１４５が設置され、前記下円柱ハウジング１００と前記上円柱ハウジング１２８との開口にいずれも外へ延伸するエッジ１１８が設置され、前記エッジ１１８には前記下円柱ハウジング１００と前記上円柱ハウジング１２８の円心を中心として対称する六つの接続穴１１７が前記エッジ１１８を貫通するように設置され、前記下円柱ハウジング１００と前記上円柱ハウジング１２８との開口にある端面にはいずれも凹溝１１６が設置され、前記凹溝１１６の間にリングガスケット１１９がクランプされ、前記下円柱ハウジング１００の左端壁体には左右に延伸する排気パイプ１０２が前記下円柱ハウジング１００の左端壁体を貫通するように設置され、前記排気パイプ１０２の左端に蒸気配管継手１３８が固定的に接続され、前記収納キャビティ１３５の内壁には前記排気パイプ１０２の下側に位置する第一環状凹溝１０１が設置され、前記第一環状凹溝１０１の中に環状ブロック１０３が滑合接続され、前記下円柱ハウジング１００の底部にヘッダタンク１０７が螺接され、前記ヘッダタンク１０７の中に集水キャビティ１０８が設置され、前記集水キャビティ１０８の左端内壁には左右に延伸する出水管１０６が前記集水キャビティ１０８の左端内壁を貫通するように設置され、前記出水管１０６に第一バルブ１０５が設置され、前記集水キャビティ１０８と前記収納キャビティ１３５との間には上下に延伸するフィルタ通路１１０が連通設置され、前記フィルタ通路１１０の底端と前記ヘッダタンク１０７との接続部には螺接するフィルター網１０９が内嵌され、前記上円柱ハウジング１２８の頂部壁体には上下に延伸する吸気管１２６が前記上円柱ハウジング１２８の頂部壁体を貫通するように設置され、前記吸気管１２６の上端には継手１５０が固定的に接続され、前記吸気管１２６に第二バルブ１２７が設置され、前記上円柱ハウジング１２８の頂部壁体には前記吸気管１２６の右端に位置するモータ１２４が固定的に接続され、前記モータ１２４の出力端が前記上円柱ハウジング１２８の頂部壁体を貫通し、前記モータ１２４の出力端には前記歯車キャビティ１２１の中に位置する第一スパーギヤー１２３が固定的に接続され、前記歯車キャビティ１２１と前記回転キャビティ１３７との間には上下に延伸する第一回転軸１２９と第二回転軸１４１が回転できるように連結され、前記第一回転軸１２９の頂部末端には前記第一スパーギヤー１２３と噛合することができる第二スパーギヤー１２５が固定的に接続され、前記第一回転軸１２９の底部末端には前記回転キャビティ１３７の中に位置する回転装置が固定的に接続され、前記第二回転軸１４１の頂部には前記第一スパーギヤー１２３と噛合することができる第三スパーギヤー１２２が固定的に接続され、前記第二回転軸１４１の底部末端には前記回転キャビティ１３７の中に位置する第一傘歯車１４０が固定的に接続され、前記回転キャビティ１３７と前記ポンプ室１４５との間には左右に延伸する第三回転軸１４２が回転できるように連結され、前記第三回転軸１４２の左端には前記第一傘歯車１４０と噛合することができる第二傘歯車１３９が固定的に接続され、前記第三回転軸１４２の右端には前記ポンプ室１４５の中に位置するポンプボディ１４６が固定的に接続され、前記ポンプ室１４５の右端内壁には左右に延伸する入水管１４４が前記ポンプ室１４５の右端内壁を貫通するように設置され、前記ポンプ室１４５と前記回転キャビティ１３７との間に排水パイプ１２０が連通設置され、前記排水パイプ１２０のもう一端には前記回転キャビティ１３７の中に位置するスプリンクラヘッド１３１が固定的に接続され、前記回転キャビティ１３７の内壁には前記ポンプ室１４５の下端に位置する第二環状凹溝１４７が設置される。
【００１４】
有益的には、前記回転装置が前記第一回転軸１２９の底部に固定的に接続される回転盤１３２を含み、前記回転盤１３２の縁の外側には前記回転盤１３２を中心として対称し且つ外部に延伸する四つの回転棒１３３が固定的に接続され、前記回転棒１３３のもう一端には上下に延伸する連接棒１３０が固定的に接続され、前記連接棒１３０の外側端面には前記第二環状凹溝１４７と回転できるように連結されることができるスライド板１４８が固定的に接続され、前記フィルタ素子ユニットが前記スライド板１４８と前記環状ブロック１０３との間に設置され、洗浄するときにフィルタ素子ユニットを駆動し回転させることに便利である。
【００１５】
有益的には、前記フィルタ素子ユニットが前記スライド板１４８と前記環状ブロック１０３との中にはめ込まれる支持リング１１３を含み、前記支持リング１１３の外側端面に第三環状凹溝１０４が設置され、前記第三環状凹溝１０４の中には前記スライド板１４８と前記環状ブロック１０３とを押し付けてクランプされることができる環状ゴムストリップ１１２が設置され、二つの前記支持リング１１３の間には六つの支持棒１１４が固定的に接続され、前記支持棒１１４の外側に第一フィルター網１１５が囲まれて設置され、前記支持棒１１４の内側に第二フィルター網１３６が囲まれて設置され、前記第二フィルター網１３６の内側に蒸気通路１４９が設置され、蒸気の中にある異なるサイズの不純物を濾過することに便利である。
【００１６】
有益的には、前記収納キャビティ１３５と前記回転キャビティ１３７との内壁にいずれも保温層１１１が固定的に接続され、蒸気濾過中の液化を減少する。
【００１７】
本方法が使用する装置の具体的な操作ステップが下記の通りである：本発明の設備が初期状態に、前記モータ１２４が停止状態であり、前記第一バルブ１０５、第二バルブ１２７がクローズ状態であり、前記蒸気通路１４９の中に蒸気が導入されていなく、前記第二フィルター網１３６、第一フィルター網１１５、フィルター網１０９にいずれも不純物が付着されなく、前記回転装置が静止状態であり、前記集水キャビティ１０８の中に水が含まれなく、装置内部全体が基本的に真空環境であり；本発明の設備を使用し作業するとき、蒸気を前記吸気管１２６から導入し、前記蒸気通路１４９に到達した後、前記第二フィルター網１３６と前記第一フィルター網１１５によりその中の不純物が濾過され、最後に前記排気パイプ１０２から排出され、その間に、前記第二フィルター網１３６と前記第一フィルター網１１５により濾過される不純物がその上に付着し或いは前記フィルタ通路１１０に落下し前記フィルター網１０９に付着し、その同時に、液化された水も前記フィルタ通路１１０を通過し前記フィルター網１０９に濾過された後に集水キャビティ１０８に流入し、前記集水キャビティ１０８の水が満杯になる直前に、前記第一バルブ１０５が開かれ、水が前記出水管１０６から蒸気室に戻り再利用され；作業が完成し洗浄する必要がある時、装置を起動し、前記モータ１２４を起動し、前記モータ１２４が前記第一スパーギヤー１２３を駆動し回転させ、そして前記第二スパーギヤー１２５を駆動し回転させ、前記第二スパーギヤー１２５が前記第一回転軸１２９により前記回転盤１３２を駆動し回転させ、前記回転盤１３２が前記回転棒１３３により前記連接棒１３０を駆動し回転させ、そして前記スライド板１４８を駆動し前記第二環状凹溝１４７に沿って回転させ、そして前記フィルタ素子ユニットを駆動し回転させ、その同時に、前記第一スパーギヤー１２３が前記第三スパーギヤー１２２を駆動し回転させ、そして前記第二回転軸１４１により前記第一傘歯車１４０を駆動し回転させ、そして前記第二傘歯車１３９を駆動し回転させ、前記第二傘歯車１３９が前記第三回転軸１４２により前記ポンプボディ１４６を駆動し回転させ、前記ポンプボディ１４６が洗浄水を前記入水管１４４から前記排水パイプ１２０まで圧送し、そして前記スプリンクラヘッド１３１から噴射し洗浄のために使用され、洗浄に使用された水が前記フィルタ通路１１０により濾過された後に前記集水キャビティ１０８に流れ、前記集水キャビティ１０８の中の洗浄水が蒸気の補充生産、またはその他の場合で使用される。
【００１８】
本発明の設備が初期状態に、前記モータ１２４が停止状態であり、前記第一バルブ１０５、第二バルブ１２７がクローズ状態であり、前記蒸気通路１４９の中に蒸気が導入されていなく、前記第二フィルター網１３６、第一フィルター網１１５、フィルター網１０９にいずれも不純物が付着されなく、前記回転装置が静止状態であり、前記集水キャビティ１０８の中に水が含まれなく、装置内部全体が基本的に真空環境である。
【００１９】
本発明の設備を使用し作業するとき、蒸気を前記吸気管１２６から導入し、前記蒸気通路１４９に到達した後、前記第二フィルター網１３６と前記第一フィルター網１１５によりその中の不純物が濾過され、最後に前記排気パイプ１０２から排出され、その間に、前記第二フィルター網１３６と前記第一フィルター網１１５により濾過される不純物がその上に付着し或いは前記フィルタ通路１１０に落下し前記フィルター網１０９に付着し、その同時に、液化された水も前記フィルタ通路１１０を通過し前記フィルター網１０９に濾過された後に集水キャビティ１０８に流入し、前記集水キャビティ１０８の水が満杯になる直前に、前記第一バルブ１０５が開かれ、水が前記出水管１０６から蒸気室に戻り再利用される。
【００２０】
作業が完成し洗浄する必要がある時、装置を起動し、前記モータ１２４を起動し、前記モータ１２４が前記第一スパーギヤー１２３を駆動し回転させ、そして前記第二スパーギヤー１２５を駆動し回転させ、前記第二スパーギヤー１２５が前記第一回転軸１２９により前記回転盤１３２を駆動し回転させ、前記回転盤１３２が前記回転棒１３３により前記連接棒１３０を駆動し回転させ、そして前記スライド板１４８を駆動し前記第二環状凹溝１４７に沿って回転させ、そして前記フィルタ素子ユニットを駆動し回転させ、その同時に、前記第一スパーギヤー１２３が前記第三スパーギヤー１２２を駆動し回転させ、そして前記第二回転軸１４１により前記第一傘歯車１４０を駆動し回転させ、そして前記第二傘歯車１３９を駆動し回転させ、前記第二傘歯車１３９が前記第三回転軸１４２により前記ポンプボディ１４６を駆動し回転させ、前記ポンプボディ１４６が洗浄水を前記入水管１４４から前記排水パイプ１２０まで圧送し、そして前記スプリンクラヘッド１３１から噴射し洗浄のために使用され、洗浄に使用された水が前記フィルタ通路１１０により濾過された後に前記集水キャビティ１０８に流れ、前記集水キャビティ１０８の中の洗浄水が蒸気の補充生産、またはその他の場合で使用される。
【００２１】
本発明の有益な効果は下記の通りである：本発明の構造が簡単で、使用が便利であり、装置全体が濾過機能以外に、自動的に洗浄する機能もあり、各機構の協働により、必要な異なる動作が実現され、すべての使用過程で装置全体の洗浄作業に多くの時間を節約し、装置の作業効率を大幅に改善すると同時に、設置される保温層も装置の機能を大幅に高める。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
0006810846.tif 000002
【図２】
0006810846.tif 000003
【図３】
0006810846.tif 000004
【図４】
0006810846.tif 000005